(57)【要約】【課題】脱ぷ部における脱ぷ率低下や、脱ぷ部の損傷を防止するとともに、粗選別の選別精度を向上することができる籾摺精米機を提供する。【解決手段】原料籾を受ける籾ホッパと、該籾ホッパで受けた原料籾を脱ぷする脱ぷ部と、該脱ぷ部で脱ぷされた摺米を風選する風選部と、該風選部で風選された玄米を受けて精米する精米部とを機枠内に備えた籾摺精米機であって、前記籾ホッパと前記脱ぷ部との間には、前記原料籾中に混入する籾よりも大きな夾雑物を除去する揺動式の夾雑物除去部を設けるとともに、該夾雑物除去部で除去された夾雑物を機外に排出するための開口部を前記機枠に穿設したので、脱ぷ部に原料籾を供給する前に効率的に異物を除去することができ、脱ぷ部における脱ぷ率低下や、脱ぷ部の損傷を防止するとともに、粗選別の選別精度を向上させることができる。【選択図】図２
2011005468.tif 000002
【特許請求の範囲】
【請求項１】
原料籾を受ける籾ホッパと、該籾ホッパで受けた原料籾を脱ぷする脱ぷ部と、該脱ぷ部で脱ぷされた摺米を風選する風選部と、該風選部で風選された玄米を受けて精米する精米部とを機枠内に備えた籾摺精米機であって、前記籾ホッパと前記脱ぷ部との間には、前記原料籾中に混入する籾よりも大きな夾雑物を除去する揺動式の夾雑物除去部を設けるとともに、該夾雑物除去部で除去された夾雑物を機外に排出するための開口部を前記機枠に穿設したことを特徴とする籾摺精米機。
【請求項２】
前記夾雑物除去部は、長孔が多数穿設された底部、該底部側辺縁に立設した２つの側壁及び前記底部後辺縁に立設した後壁からなる選別網板と、該選別網板を傾斜させて前記機枠に吊下支持するために、前記２つの側壁にそれぞれ固着した支持杆及び前記後壁に固着した支持杆からなる３点の支持部材と、該３点の支持部材で吊下支持された選別網板を揺動させるための揺動機構とを備えてなる請求項１記載の籾摺精米機。
【請求項３】
前記選別網板の２つの側壁にそれぞれ固着した支持杆の長さと、前記選別網板の後壁に固着した支持杆の長さとを異ならせて、前記選別網板を水平方向に対して５°傾斜させて機枠に吊下支持させてなる請求項２記載の籾摺精米機。
【請求項４】
前記選別網板の２つの側壁にそれぞれ固着した支持杆の長さを１００ｍｍ、前記選別網板の後壁に固着した支持杆の長さを２０ｍｍとして、前記選別網板の後壁を傾斜高位側とする一方、該該傾斜高位側の後壁に固着した支持杆を支点として、前記選別網板を揺動させてなる請求項２又は３記載の籾摺精米機。
【請求項５】
前記選別網板の後壁の幅方向中央部を支点として、前記選別網板を揺動してなる請求項２乃至４のいずれかに記載の籾摺精米機。
【請求項６】
前記選別網板の角部を支点として、前記選別網板を揺動してなる請求項２乃至４のいずれかに記載の籾摺精米機。
【請求項７】
前記揺動機構は、前記選別網板の後壁における所定箇所を加振すべく、該選別網板の後壁と平行になるように軸架した回転軸と、該回転軸に取り付けた偏心輪と、該偏心輪と前記選別網板の後壁における所定箇所との間に接続された、前記偏心輪の回転運動を往復運動に変換する連結杆とを備えてなる請求項２乃至６のいずれかに記載の籾摺精米機。
【発明の詳細な説明】
【技術分野】
【０００１】
本発明は、籾摺精米機に関し、特に、原料籾に混入するわら屑、小石などを除去する夾雑物除去部に関する。
【背景技術】
【０００２】
脱ぷ機能と精米機能とを併せ持つ籾摺精米機の夾雑物除去装置として、例えば、特許文献１や特許文献２に開示されたものが知られている。これら従来の籾摺精米機の夾雑物除去装置は、脱ぷ部と精米部との中間工程（接続部分）に夾雑物除去装置が配置されている。すなわち、従来の籾摺精米機の夾雑物除去装置にあっては、原料籾とこれに混入するわら屑が籾タンクから直接脱ぷ部に供給され、まず、籾の脱ぷに伴ってわら屑を揉んで柔らかくするように軽く圧搾処理がなされ、次いで、重量が軽くて小さくなったわら屑は風選部により籾殻と一緒に機外に排出される一方、重量が重い大きなわら屑は夾雑物除去装置によって取り除かれるものである。つまり、脱ぷ部と精米部との接続部分に夾雑物除去装置を配置する目的は、脱ぷ部の詰まりを防止するよりも、むしろ、精米部へのわら屑の流入を阻止し、精米部におけるムラ搗きや詰まりを防止することに力点がおかれることにある。
【０００３】
しかし、近年の耕地の区画整備事業や、台風や大雨災害などによる水路の氾濫により、圃場内には、大小の石や大小の木片などが散乱している状況にある。また、近年の自走しながら稲を刈取り、籾の脱穀処理及び藁（わら）の裁断処理を行う自脱型コンバインにあっては、畦際の穀稈をスムーズに刈り取る機構や、圃場四隅の手刈り面積を減らす機構等も備えられ、収穫能力が格段に向上している。このため、自脱型コンバインによって収穫された穀物中に、粒径が５ｍｍ以上の小石や、長さ３０ｍｍ以上のわら屑を取り込んでしまう可能性が高い。したがって、農家用の小型の穀類調製機械においてもあらかじめ原料籾から異物を除去しておくことが重要になる。例えば、異物の混入した原料籾を脱ぷ部に供給した場合、ロール形籾すり機にあっては、急激な脱ぷ率低下を引き起こしたり、ロールが詰まったり、ロール間隙調節装置を損傷するなど大きな損害を与える原因となる。また、衝撃式籾すり機にあっても、脱ぷファンやライナを損傷するなど大きな損害を与える原因となる。
【０００４】
そこで、特許文献３のように、籾は通過するが、粗大異物は通過しない粗選別網を籾タンク上面に覆い、脱ぷ部に原料籾を供給する前にあらかじめ籾から粗大異物を取り除いておくことが考えられる。しかしながら、単に粗選別網を籾タンク上面に覆っただけでは、ほぐし作用がないために籾に混入する大きなわら屑等を取り除くことができず、粗選別が十分であるとは言い難（かた）かった。
【先行技術文献】
【特許文献】
【０００５】
【特許文献１】特許第３４０８０８４号公報
【特許文献２】実公平５−２２２６７号公報
【特許文献３】実開昭６０−４２３５２号公報
【発明の概要】
【発明が解決しようとする課題】
【０００６】
本発明は上記問題点にかんがみ、脱ぷ部における脱ぷ率低下や、脱ぷ部の損傷を防止するとともに、粗選別の選別精度を向上することができる籾摺精米機を提供することを技術的課題とする。
【課題を解決するための手段】
【０００７】
上記課題を解決するため請求項１記載の発明は、原料籾を受ける籾ホッパと、該籾ホッパで受けた原料籾を脱ぷする脱ぷ部と、該脱ぷ部で脱ぷされた摺米を風選する風選部と、該風選部で風選された玄米を受けて精米する精米部とを機枠内に備えた籾摺精米機であって、前記籾ホッパと前記脱ぷ部との間には、前記原料籾中に混入する籾よりも大きな夾雑物を除去する揺動式の夾雑物除去部を設けるとともに、該夾雑物除去部で除去された夾雑物を機外に排出するための開口部を前記機枠に穿設する、という技術的手段を講じた。
【０００８】
また、請求項２記載の発明は、前記夾雑物除去部が、長孔が多数穿設された底部、該底部側辺縁に立設した２つの側壁及び前記底部後辺縁に立設した後壁からなる選別網板と、該選別網板を傾斜させて前記機枠に吊下支持するために、前記２つの側壁にそれぞれ固着した支持杆及び前記後壁に固着した支持杆からなる３点の支持部材と、該３点の支持部材で吊下支持された選別網板を揺動させるための揺動機構とを備える、という技術的手段を講じた。
【０００９】
さらに、請求項３記載の発明は、前記選別網板の２つの側壁にそれぞれ固着した支持杆の長さと、前記選別網板の後壁に固着した支持杆の長さとを異ならせて、前記選別網板を水平方向に対して５°傾斜させて機枠に吊下支持させることを特徴とする。
【００１０】
そして、請求項４記載の発明は、前記選別網板の２つの側壁にそれぞれ固着した支持杆の長さを１００ｍｍ、前記選別網板の後壁に固着した支持杆の長さを２０ｍｍとして、前記選別網板の後壁を傾斜高位側とする一方、該該傾斜高位側の後壁に固着した支持杆を支点として、前記選別網板を揺動させることを特徴とする。
【００１１】
請求項５記載の発明は、前記選別網板の後壁の幅方向中央部を支点として、前記選別網板を揺動することを特徴とする。
【００１２】
請求項６記載の発明は、前記選別網板の角部を支点として、前記選別網板を揺動することを特徴とする。
【００１３】
請求項７記載の発明は、前記揺動機構が、前記選別網板の後壁における所定箇所を加振すべく、該選別網板の後壁と平行になるように軸架した回転軸と、該回転軸に取り付けた偏心輪と、該偏心輪と前記選別網板の後壁における所定箇所との間に接続された、前記偏心輪の回転運動を往復運動に変換する連結杆とを備えたことを特徴とする。
【発明の効果】
【００１４】
請求項１記載の発明によれば、原料籾を受ける籾ホッパと、該籾ホッパで受けた原料籾を脱ぷする脱ぷ部と、該脱ぷ部で脱ぷされた摺米を風選する風選部と、該風選部で風選された玄米を受けて精米する精米部とを機枠内に備えた籾摺精米機であって、前記籾ホッパと前記脱ぷ部との間には、前記原料籾中に混入する籾よりも大きな夾雑物を除去する揺動式の夾雑物除去部を設けるとともに、該夾雑物除去部で除去された夾雑物を機外に排出するための開口部を前記機枠に穿設したものであり、選別網板上に落下した原料籾が揺動作用によってほぐされ、これに伴って籾よりも大きな粗大異物を機外にすばやく取り除くことができる。すなわち、脱ぷ部に原料籾を供給する前に効率的に異物を除去することができ、脱ぷ部における脱ぷ率低下や、脱ぷ部の損傷を防止するとともに、粗選別の選別精度を向上させることができる。
【００１５】
請求項２記載の発明によれば、前記夾雑物除去部が、長孔が多数穿設された底部、該底部側辺縁に立設した２つの側壁及び前記底部後辺縁に立設した後壁からなる選別網板と、該選別網板を傾斜させて前記機枠に吊下支持するために、前記２つの側壁にそれぞれ固着した支持杆及び前記後壁に固着した支持杆からなる３点の支持部材と、該３点の支持部材で吊下支持された選別網板を揺動させるための揺動機構とを備えたものである。これにより、長孔が多数穿設された底部を有する選別網板を、３点の支持部材のうち、いずれかの支持部材を支点とし、この支点を中心に円弧を描くように揺れ動かすことができる。そして、籾は長孔から落下させる一方、わら屑や小石など夾雑物は選別網板上を滑流させて分離することができる。
【００１６】
請求項３記載の発明によれば、前記選別網板の２つの側壁にそれぞれ固着した支持杆の長さと、前記選別網板の後壁に固着した支持杆の長さとを異ならせてあり、前記選別網板を水平方向に対して５°傾斜させて機枠に吊下支持させることができる。
【００１７】
請求項４記載の発明によれば、前記選別網板の２つの側壁にそれぞれ固着した支持杆の長さを１００ｍｍ、前記選別網板の後壁に固着した支持杆の長さを２０ｍｍとして、前記選別網板の後壁を傾斜高位側とする一方、該傾斜高位側の後壁に固着した支持杆を支点として、この支点を中心に円弧を描くように前記選別網板を揺動させることができる。
【００１８】
請求項５記載の発明によれば、前記選別網板の後壁の幅方向中央部を支点として、前記選別網板を揺動することができ、請求項６記載の発明によれば、前記選別網板の角部を支点として、前記選別網板を揺動することができ、振動方向及び振幅を変えて、原料籾の品種、夾雑物の性状又は混入割合に応じて適切なほぐし作用を与えることができる。
【００１９】
さらに、請求項７記載の発明によれば、前記揺動機構が、前記選別網板の後壁における所定箇所を加振すべく、該選別網板の後壁と平行になるように軸架した回転軸と、該回転軸に取り付けた偏心輪と、該偏心輪と前記選別網板の後壁における所定箇所との間に接続された、前記偏心輪の回転運動を往復運動に変換する連結杆とを備えたものであり、構造が簡単な揺動機構の構成であるから、夾雑物除去部の製造コストを低減することができる。
【図面の簡単な説明】
【００２０】
【図１】本発明の実施形態に係る籾摺精米機の概略斜視図である。
【図２】本発明の実施形態に係る籾摺精米機の縦断面図である。
【図３】図２の矢視Ａ方向から見たときの夾雑物除去部の概略図である。
【図４】夾雑物除去部の拡大断面図である。
【図５】夾雑物除去部の概略斜視図である。
【図６】夾雑物除去部の平面図である。
【図７】夾雑物除去部の選別作用を示す説明図である。
【図８】本発明の第二の実施形態に係る夾雑物除去部の選別作用を示す説明図である。
【図９】本発明の第三の実施形態に係る夾雑物除去部の選別作用を示す説明図である。
【発明を実施するための形態】
【００２１】
本発明を実施するための最良の形態を図面を参照しながら説明する。図１は本発明の実施形態に係る籾摺精米機の概略斜視図、図２は本発明の実施形態に係る籾摺精米機の縦断面図、図３は図２の矢視Ａ方向から見たときの夾雑物除去部の概略図、図４は夾雑物除去部の拡大断面図、図５は夾雑物除去部の概略斜視図、図６は夾雑物除去部の平面図、図７は選別作用を示す説明図である。図８は第二の実施形態の説明図であり、図９は第三の実施形態の説明図である。
【００２２】
<概要>
図１及び図２において、籾摺精米機１は、略直方体の機枠２の上方に原料籾の籾ホッパ３が設けられ、前記籾ホッパ３下方には、前記機枠２の略中間位置に、本発明の要部となる夾雑物除去部４が設けられる。該夾雑物除去部４の詳細構造については後述する。
【００２３】
前記夾雑物除去部４の下方には（図２参照）、籾受樋１９、傾斜状流下シュート２０及び原料籾の供給部となる湾曲状流下シュート２１を介して脱ぷ部５を配置する。該脱ぷ部５は一対の脱ぷロール５ａ，５ｂが上下に架設されており、摺米が水平方向に投げ出されるものである。そして、該脱ぷ部５の摺米排出側近傍には、脱ぷ速度を利用して摺米を垂直方向へ揚穀する角度変更板６と、上方搬送管７とが設けられる。前記角度変更板６と上方搬送管７との間には、揚穀しきれなかった摺米を回収するための若干の隙間Ｓが設けられ、さらに、角度変更板６下方にはこの揚穀しきれなかった摺米を受ける流穀板８と、流穀板８から受けた摺米を機外に排出する排出口４２及び残留排出樋１８が設置されている。
【００２４】
略直方体の機枠２に対して脱ぷ部５は機枠２下部に配置されるが、該脱ぷ部５から機枠２上部に向けて摺米を揚穀するための上方搬送管７が配置される。上方搬送管７上端の機枠２左上部には（図２参照）、摺米を一時貯留する一時貯留タンク９が配置され、揚穀された摺米が上方搬送管７上端から矢印Ｂ方向に投げ出されて一時貯留タンク９に貯留される構成となっている。一時貯留タンク９内には、第１棚板１０ａ，第２棚板１０ｂが斜設され、該棚板１０下方に風選室１１が設けられている。該風選室１１には、風路の傾斜上方側に吸引排塵ファン３１が接続される一方、該吸引排塵埃ファン３１と対向する機枠２には外気取入口１２を設ける。そして、外気取入口１２から吸引排塵ファン３１に向かう側から順に玄米を落下選別するための玄米受樋１３と、粃（しいな）や未熟粒などの二番物を落下選別するための二番物受樋１４と、該二番物受樋１４への排出量を調整する二番物調節弁１５とが設けられている。符号１７は二番物受樋１４に連通する二番物排出樋であり、符号３１ａは吸引排塵埃ファン３１の吸引口であり、符号３１ｂは排風口を任意の角度に変更可能な排風管である。
【００２５】
符号１６は精米部であり、該精米部１６は精白転子１６ａが横軸回りに回転する横型精米機であり、該精白転子１６ａの外周部に精米網１６ｂが設けられ、精白米の排出口に抵抗蓋１６ｃが設けられ、排出口に連設した精米排出樋１６ｄと、精米網１６ｂ下方には糠排出樋１６ｅを斜架させ、機枠２に穿設した排出口４３から機外に排出できる構成となっている。
【００２６】
<夾雑物除去部>
次に、夾雑物除去部４について詳述する。図２乃至図７に示すように夾雑物除去部４は、長孔２２が多数穿設された底部２３ａを有する選別網板２３を、ある支点を中心に円弧を描くように揺れ動かすことにより、籾を長孔２２から落下させる一方、わら屑や小石など夾雑物は選別網板２３上を滑流させて分離を行うものである。符号４１は除去された夾雑物を機外に排出するために前記機枠２に開口した開口部であり、符号４０は該開口部に設けた夾雑物排出樋である。
【００２７】
前記選別網板２３は、底部２３ａの２つの側辺縁に側壁２３ｂ，２３ｃが立設されるとともに、底部２３ａの後辺縁に後壁２３ｄが立設される。該側壁２３ｂ，２３ｃ及び後壁２３ｄには、選別網板２３を機枠２に吊下支持するための支持杆２４ａ，２４ｂ，２５が固着され、さらに、前記選別網板２３を揺動させるための揺動機構２６が設けられている。
【００２８】
底部２３ａに設けられる長孔２２は、一例として、短径が6ｍｍ、長径が29.5ｍｍのものが挙げられる。選別網板２３は幅約３５０mm、長さ約３００mmの矩形状であり（図５参照）、水平方向に対して５°傾斜して機枠２に吊下支持される。すなわち、側壁２３ｂ，２３ｃはその傾斜下方側に一対の支持杆２４ａ，２４ｂをそれぞれ固着して取付部材２８ａ，２８ｂを介して機枠２に吊下支持する一方、傾斜上方側の後壁２３ｄはその幅方向中央に支持杆２５を介してＬ字型支柱２９に支持し、前記選別網板２３を３つの支持杆２４ａ，２４ｂ，２５により３点支持させる構成とするとよい。そして、前記支持杆２４ａ，２４ｂ，２５は、選別網板２３が揺動可能となるよう、弾性体を用いるのがよく、例えば、硬質ウレタンゴムや板ばねなどを採用することができる。前記Ｌ字型支柱２９は、籾ホッパ３と傾斜状流下シュート２０との間に接続されており（図４参照）、後壁２３ｄが実質的に機枠２に吊下支持されることになる。なお、前記支持杆２４ａ，２４ｂの長さを約１００ｍｍとし、前記支持杆２５の長さを約２０ｍｍとして、長さを異ならせることで前記選別網板２３を水平方向に対し５°傾斜して吊下支持させることができる。
【００２９】
＜揺動機構＞
選別網板２３を揺動させる揺動機構は、前記機枠２前面壁２ａ及び後面壁２ｂに設けた軸受２７ａ，２７ｂ間に、前記選別網板２３の後壁２３ｄと平行となるように回転自在に横架した回転軸３２と、該回転軸３２に取り付けた偏心輪３３と、この偏心輪３３に取り付けた偏心ブラケット３４と、該偏心ブラケット３４と前記選別網板２３の後壁２３ｄとの間に揺動可能に接続した連結杆３５とによって構成される。前記回転軸３２端部には揺動プーリ３６が軸着され（図３、図６参照）、図示しないモーターの回転軸に固定されたモータープーリーと、前記揺動プーリ３６との間に掛け回されたベルト３７によって回転軸３２が駆動される。これにより、回転軸３２の回転に伴って偏心輪３３が回転され、図６の実線の状態から鎖線で示す状態の範囲で揺動されることになる。すなわち、偏心輪３３が回転されると偏心ブラケット３４を介して連結杆３５が往復運動し、選別網板２３の後壁２３ｄに設けた支持杆２５（幅方向の中央）が回動の支点となり、選別網板２３の傾斜下方側が前記支点を中心に円弧を描くように振れ、図６のように実線の状態から鎖線で示す状態の範囲で揺動されることになる。
【００３０】
＜作用＞
次に、上記構成における作用を説明する。籾摺精米機１を起動して、籾ホッパ３から原料籾を投入する。このとき、籾ホッパ３の開口部３ａには、径が１００ｍｍ以上の粗大異物の流入を阻止するための粗選別格子３０がフック３８に吊り下げ支持されており、原料籾に粗大異物が混入していた場合に異物の流入が阻止される。
【００３１】
粗大異物が除去された原料籾は、流量調整弁３９により流量が適宜に調整された後、夾雑物除去部４に供給される。夾雑物除去部４では、図７に示すように選別網板２３の傾斜上端から下方に向けて略３分の１の箇所において、約２０ｍｍ幅の穀物落下エリアに原料籾が供給される。このとき、回転軸３２が回転することにより、偏心輪３３が回転して偏心ブラケット３４を介して連結杆３５が往復運動し、選別網板２３の後壁２３ｄに設けた支持杆２５（幅方向の中央）が回動の支点となり、選別網板２３の傾斜下方側が前記支点を中心に円弧を描くように振れ、実線の状態から鎖線で示す状態の範囲で揺動されることになる。
【００３２】
原料籾はこの揺動作用により、選別網板２３上においてほぐし作用が生じ、原料籾の塊から籾に混入する大きなわら屑や小石や稲麹籾（（いなこうじもみ）籾の全表面又は一部にカビが付着したもの。）等が露出することになる。具体的には、粒径が６mm以上の小石や稲麹籾、長さが30mm以上のわら屑は選別網板２３を滑流して夾雑物排出樋４０から機外に排出される一方（図５参照）、籾は長孔２２から漏出して夾雑物除去部４下方の籾受樋１９及び傾斜状流下シュート２０上に落下することになる。夾雑物除去部４の揺動作用により発生した軽い塵埃などは、図２の太字矢印で示すように風選室１１を経由して吸引排塵ファン３１により吸引されることになる。
【００３３】
籾受樋１９及び傾斜状流下シュート２０上に落下した籾は、シュート２０上を流下しながら湾曲状流下シュート２１に至り、上下に架設された脱ぷロール５ａ，５ｂからなる脱ぷ部５に供給されて脱ぷが行われる。このとき、異物として粒径が６ｍｍ以上の小石や、長さ３０ｍｍ以上のわら屑などを含んでいないため、脱ぷロール５ａ，５ｂが詰まりや、脱ぷ率の低下や、脱ぷ部の損傷を防止することができる。
【００３４】
上下に架設した脱ぷロール５ａ，５ｂからは、摺米が水平方向に投げ出されて角度変更板６に衝突し、その速度を利用して上方搬送管７により摺米が垂直方向に揚穀される。揚穀しきれなかった摺米は隙間Ｓに落下し、さらに、流穀板８により受けて残留排出樋１８から機外に排出される。
【００３５】
上方搬送管７により揚穀された摺米は一時貯留タンク９に貯留され、第１棚板１０ａ，第２棚板１０ｂを順次流下して風選室１１に至る。該風選室１１では、外気取入口１２から吸入される外気に伴い（図２の太字矢印参照）、軽い籾殻が吸引排塵ファン３１により吸引されて機外に排出されるとともに、重い玄米は落下選別されて玄米受樋１３に至り、さらに、粃や未熟粒などの二番物は落下選別されて二番物受樋１４に至る。
【００３６】
玄米受樋１３に溜まった玄米は、精米部１６に至り、精米網１６ｂ内で回転する精白転子１６ａにより精米が行われ、精白米は精米排出樋１６ｄから機外に排出され、精米網１６ｂから漏出した糠は糠排出樋１６ｅから機外に排出される。一方、二番物受樋１４に溜まった二番物は、二番物排出樋１７から直接機外に排出させるか、又は前述の間隙Ｓ、流穀板８及び残留排出樋１８を介して機外に排出させることができる。
【００３７】
以上のように、本実施形態では、選別網板２３後壁２３ｄの幅方向中央が支点となり、選別網板２３の傾斜下方側が幅方向に振れて揺動されるので、ほぐし作用を伴って粗大異物を取り除くことができ、しかも、脱ぷ部に原料籾を供給する前に効率的に異物を除去することができ、脱ぷ部における脱ぷ率低下や、脱ぷ部の損傷を防止するとともに、粗選別の選別精度を向上することができる。また、複雑な構成の揺動機構を採用するのではなく、単純な構成の揺動機構であるから、夾雑物除去部の製造コストを著しく低減することができる。
【００３８】
＜第二の実施形態＞
図８は、本発明の第二の実施形態に係る夾雑物除去部の選別作用を示す説明図である。本実施形態においては、第一の実施形態（図７）に代えて、支点の位置を選別網板２３の角部に設け、加振点（加振する位置）を選別網板２３後壁２３ｄの幅方向中央に設けた構成である。この構成を採ることにより、振動方向及び振幅が変わるので、原料籾の品種、夾雑物の性状又は混入割合に応じて適切なほぐし作用を与えることができるという利点がある。
【００３９】
＜第三の実施形態＞
図９は、本発明の第三の実施形態に係る夾雑物除去部の選別作用を示す説明図である。本実施形態においては、第一の実施形態（図７）に代えて、支点の位置を選別網板２３後壁２３ｄの角部と幅方向中央との中間に設け、加振点を図７と同じ位置に設けた構成である。この構成を採ることにより、上記同様、原料籾の品種、夾雑物の性状又は混入割合に応じて適切なほぐし作用を与えることができるという利点がある。なお、支点の位置と加振点の位置との距離を長くすれば振幅が小さくなり、反対に支点の位置と加振点の位置との距離を短くすれば振幅が大きくなり、支点の位置と加振点の位置との距離によって振幅を適宜調節することができる。
【産業上の利用可能性】
【００４０】
脱ぷ機能と精米機能とを併せ持つ籾摺精米機や、籾ホッパを備えた穀物乾燥機など、穀物調製機械の夾雑物除去部として適用することができる。
【符号の説明】
【００４１】
１  籾摺精米機
２  機枠
３  籾ホッパ
４  夾雑物除去部
５  脱ぷ部
６  角度変更板
７  上方搬送管
８  流穀板
９  一時貯留タンク
１０  棚板
１１  風選室
１２  外気取入口
１３  玄米受樋
１４  二番物受樋
１５  二番物調整弁
１６  精米部
１７  二番物排出樋
１８  残留排出樋
１９  籾受樋
２０  傾斜状流下シュート
２１  湾曲状流下シュート
２２  長孔
２３  選別網板
２４  支持杆
２５  支持杆
２６  揺動機構
２７  軸受
２８  取付部材
２９  Ｌ字型支柱
３０  粗選別格子
３１  吸引排塵ファン
３２  回転軸
３３  偏心輪
３４  偏心ブラケット
３５  連結杆
３６  揺動プーリ
３７  ベルト
３８  フック
３９  流量調整弁
４０  夾雑物排出樋
４１  開口部
４２  排出口
４３  排出口
【図１】
2011005468.tif 000003
【図２】
2011005468.tif 000004
【図３】
2011005468.tif 000005
【図４】
2011005468.tif 000006
【図５】
2011005468.tif 000007
【図６】
2011005468.tif 000008
【図７】
2011005468.tif 000009
【図８】
2011005468.tif 000010
【図９】
2011005468.tif 000011